(57)【特許請求の範囲】
【請求項１】
水平方向にスライドさせて開閉操作される引き戸であって、
互いに対向する略矩形状の第１表面部と第２表面部とを備えた略平板状であり、かつ、一方の側端部の中央付近において前記第１表面部側と前記第２表面部側とを連通する切欠部が形成された引き戸本体と、
前記引き戸本体の前記第１表面部から外方に突出し、かつ、前記引き戸本体の縦方向に沿って延びる把持部を備えた第１取手部と、
前記引き戸本体の前記第２表面部から外方に突出し、かつ、前記引き戸本体の縦方向に沿って延びる把持部を備えた第２取手部と、
前記引き戸本体から離間して略水平方向に延び、前記第１取手部および前記第２取手部と接続する第３取手部と
を備えることを特徴とする引き戸。
【請求項２】
前記切欠部の遮蔽が可能な遮蔽板を備えていることを特徴とする請求項１に記載の引き戸。
【請求項３】
前記切欠部が略半円形状に形成されていることを特徴とする請求項１または２に記載の引き戸。
【請求項４】
前記第３取手部は、前記切欠部を通じて前記第１取手部および前記第２取手部と接続していることを特徴とする請求項１から３のいずれか一項に記載の引き戸。
【発明の詳細な説明】
【技術分野】
【０００１】
本発明は、引き戸に関する。
【背景技術】
【０００２】
従来より、引き戸には、引き戸本体の両面から外側に突出する取手部が設けられている（例えば特許文献１）。そして、引き戸は、このような取手部を把持して全体を水平方向にスライドさせることで開閉操作が行われる。
【先行技術文献】
【特許文献】
【０００３】
【特許文献１】特開平９−４２８５号公報
【発明の概要】
【発明が解決しようとする課題】
【０００４】
しかしながら、例えば一方の手に杖を持った高齢者などの場合、他方の手で取手部を把持して引き戸を開く際に、手すりのように取手部で体を支えながら入退室することがある。この場合、開いた引き戸の横を通過する際に、把持した取手部を一旦手放すことになるため、体のバランスが不安定になり、転倒してしまう恐れがある。
【０００５】
本発明は、以上のとおりの事情に鑑みてなされたものであり、引き戸を開いて入退室する際に、把持した取手部で体を支えながら安定に移動することができる引き戸を提供することを課題としている。
【課題を解決するための手段】
【０００６】
上記の課題を解決するために、本発明の引き戸は、水平方向にスライドさせて開閉操作される引き戸であって、
互いに対向する略矩形状の第１表面部と第２表面部とを備えた略平板状であり、かつ、一方の側端部の中央付近において前記第１表面部側と前記第２表面部側とを連通する切欠部が形成された引き戸本体と、
前記引き戸本体の前記第１表面部から外方に突出し、かつ、前記引き戸本体の縦方向に沿って延びる把持部を備えた第１取手部と、
前記引き戸本体の前記第２表面部から外方に突出し、かつ、前記引き戸本体の縦方向に沿って延びる把持部を備えた第２取手部と、
前記引き戸本体から離間して略水平方向に延び、前記第１取手部および前記第２取手部と接続する第３取手部と
を備えることを特徴としている。
【発明の効果】
【０００７】
本発明の引き戸によれば、引き戸を開いて入退室する際に、把持した取手部で体を支えながら安定に移動することができる。
【図面の簡単な説明】
【０００８】
【図１】本発明の引き戸の一実施形態を例示した斜視図である。
【図２】図１に例示した引き戸の側端部の切欠部付近における上方からの断面図である。
【図３】図１に例示した引き戸の切欠部が遮蔽された状態を例示した斜視図である。
【図４】図３に例示した引き戸の側端部の切欠部付近における上方からの断面図である。
【図５】本発明の引き戸の別の実施形態を例示した斜視図である。
【図６】図５に例示した引き戸の切欠部が遮蔽された状態を例示した斜視図である。
【発明を実施するための形態】
【０００９】
図１は、本発明の引き戸の一実施形態を例示した斜視図である。図２は、図１に例示した引き戸の側端部の切欠部付近における上方からの断面図である。図３は、図１に例示した引き戸の切欠部が遮蔽された状態を例示した斜視図である。図４は、図３に例示した引き戸の側端部の切欠部付近における上方からの断面図である。
【００１０】
引き戸１は、引き戸本体２、第１取手部３、第２取手部４および第３取手部５を備えており、水平方向（図１中の矢印方向）にスライドさせることで開閉操作される。
【００１１】
引き戸本体２は、略矩形状の第１表面部２１と、この第１表面部２１と同一形状の第２表面部２２とを備えた縦長の略平板状である。
【００１２】
また、引き戸本体２の一方の側端部２３の中央付近には、他方の側端部２４側に向かって凹状に切り欠かれた切欠部６が形成されている。引き戸本体２は、切欠部６において第１表面部２１側の空間と第２表面部２２側の空間とが連通している。
【００１３】
具体的には、切欠部６は、上面部６１、下面部６２および起立面部６３によって囲まれた空間として形成されている。上面部６１および下面部６２は、引き戸本体２の側端部２３から内側方向（他方の側端部２４側）に向かって略水平に切り込んでおり、上下方向に対向している。また、起立面部６３は略垂直に起立しており、上面部６１の内側端部６１aと下面部６２の内側端部６２aとを上下に接続している。
【００１４】
第１取手部３は、第１表面部２１に設けられており、引き戸本体２の一方の側端部２３に隣接している。
【００１５】
また、第１取手部３は、引き戸本体２の第１表面部２１から外方に突出し、引き戸本体２の縦方向に沿って延びる把持部３１を備えている。具体的には、第１取手部３は、引き戸本体２の上側において第１表面部２１から外方に向かって略水平に突出する上端接続部３２と、引き戸本体２の下側において第１表面部２１から外方に向かって略水平に突出する下端接続部３３とを備えている。そして、第１取手部３は、上端接続部３２と下端接続部３３とが、引き戸本体２の縦方向に沿って延びる把持部３１によって上下に接続している。
【００１６】
また、第１取手部３の上端接続部３２は、引き戸本体２の切欠部６よりも上側に位置しており、第１取手部３の下端接続部３３は、引き戸本体２の切欠部６よりも下側に位置している。
【００１７】
第２取手部４は、第１取手部３と同一形状であり、第１取手部３の裏側に位置する第２表面部２２に設けられている。すなわち、第２取手部４は、引き戸本体２の上側において第２表面部２２から外方に向かって略水平に突出する上端接続部４２と、引き戸本体２の下側において第２表面部２２から外方に向かって略水平に突出する下端接続部４３とを備えている。そして、第２取手部４は、上端接続部４２と下端接続部４３とが、引き戸本体２の縦方向に沿って延びる把持部４１によって上下に接続している。
【００１８】
また、第２取手部４の上端接続部４２は、引き戸本体２の切欠部６よりも上側に位置しており、第２取手部４の下端接続部４３は、引き戸本体２の切欠部６よりも下側に位置している。なお、第２取手部４は、引き戸本体２の縦方向に沿って延びる把持部４１を備えていれば、第１取手部３とは異なった形状でもよい。
【００１９】
第３取手部５は、引き戸本体２から離間して略水平方向に延びる略半円弧状であり、切欠部６を通じて第１取手部３および第２取手部４と接続している。具体的には、第３取手部５は、第１取手部３の把持部３１の中央付近から第２取手部４の把持部４１の中央付近へ向かって略半円弧状の曲線を描きながら略水平に延びており、その中間部分が切欠部６内の空間に位置している。また、第３取手部５は、切欠部６の上下方向の中央よりも下側に位置しており、切欠部６内では、第３取手部５より上側の方が空間が広く形成されている。
【００２０】
さらに、この実施形態の引き戸１は、引き戸本体２の切欠部６の遮蔽が可能な遮蔽板７を備えている。
【００２１】
引き戸本体２は、切欠部６を形成している起立面部６３の幅方向中央付近から内側方向（側端部２４側）に向かって、引き戸本体２の幅方向中央付近まで延びる凹状のスリット部Sが形成されている。スリット部Ｓの縦方向長さは、切欠部６の縦方向長さ（上面部６１と下面部６２の間の長さ）と対応している。
【００２２】
また、引き戸本体２の第１表面部２１の中央付近には、横長に開口してスリット部Ｓと連通する第１窓部２１１が形成されている。同様に、第１窓部２１１の裏側に位置する第２表面部２２の中央付近には、第１窓部２１１と同一形状の第２窓部２２１が形成されており、スリット部Ｓと連通している。
【００２３】
そして、スリット部Ｓの内部には、スリット部Ｓの形状と相補的な略平板状の遮蔽板７が収納されている。この遮蔽板７の先端部７１には、第３取手部５の断面形状および高さ位置と対応した湾曲凹部７１aが形成されている。
【００２４】
図１および図２に例示した状態では、遮蔽板７の先端部７１は起立面部６３と面一であり、起立面部６３の幅方向中央付近のスリット部Ｓの先端部Ｓ１から露出している。
【００２５】
さらに、引き戸１は、遮蔽板７と接続し、かつ、第１窓部２１１および第２窓部２２１から外方に突出する操作部８を備えている。
【００２６】
操作部８は、連結棒部８１とつまみ部８２とを備えている。連結棒部８１は、第１表面部２１と第２表面部２２の間で水平方向に延びており、遮蔽板７の上下方向の中央付近を貫通して第１窓部２１１と第２窓部２２１とを連通している。つまみ部８２は、連結棒部８１の両端に設けられており、第１窓部２１１および第２窓部２２１から外側に突出している。つまみ部８２は、第１窓部２１１および第２窓部２２１の上下方向の幅よりも大きい径を有する球状に形成されている。
【００２７】
操作部８は、つまみ部８２を第１窓部２１１および第２窓部２２１に沿って水平方向にスライドさせることで、連結棒部８１と接続する遮蔽板７をスリット部Ｓ内および切欠部６内を水平方向に移動させることができる。
【００２８】
引き戸１には、第１取手部および第２取手部と接続する略半円弧状の第３取手部５が設けられている。このため、例えば、一方の手に杖を持った高齢者などは、他方の手で第１取手部３（または第２取手部４）を把持して引き戸１をスライドさせて開いた後、第３取手部５を手すりのように掴んで体を支えながら安定した状態で室内外に移動することができる。
【００２９】
また、第１取手部および第２取手部から離れた位置の第３取手部５の中間部付近は、引き戸本体２の側端部２３よりも内側の切欠部６内に位置している。このため、引き戸１をスライドさせても、対向するドア枠（図示していない）に第３取手部５が接触することはなく、側端部２３がドア枠に当接するため、引き戸１を確実に閉じることができる。さらに、第３取手部５は、切欠部６の上下方向の中央よりも下側に位置しているため、第３取手部５の上側の切欠部６内に手を挿入しやすく、容易かつ安定に第３取手部５を掴むことができる。
【００３０】
さらに、図３および図４に例示したように、引き戸１が閉状態の際には、遮蔽板７によって切欠部６を遮蔽することができる。具体的には、切欠部６が形成されている側端部２３側に向かって操作部８を操作することで、遮蔽板７の先端部７１をスリット部Ｓから切欠部６側に向かって突出させることができる。これによって、切欠部６内に遮蔽板７が挿入され、遮蔽板７の湾曲凹部７１aが第３取手部５に当接する。このとき、遮蔽板７の先端部７１は引き戸本体３の側端部２３付近まで引き出されるため、切欠部６の空間が遮蔽板７によって遮蔽される。このため、引き戸本体２の第１表面部２１側と第２表面部２２側とが遮蔽板７によって非連通状態になり、引き戸１が閉状態の際には、引き戸本体２とドア枠との間にほとんど隙間がない状態になる。したがって、引き戸１は、第３取手部５による機能を確保しつつ、遮蔽板７によって引き戸本体２とドア枠との間を確実に閉鎖することができる。
【００３１】
図５は、本発明の引き戸の別の実施形態を例示した斜視図である。図６は、図５に例示した引き戸の切欠部６が遮蔽された状態を例示した斜視図である。図１〜図４に示した実施形態と共通する部分には同一の符号を付し、以下では説明を一部省略する。
【００３２】
この実施形態の引き戸１は、引き戸本体２の側端部２３には、略半円形状に湾曲する切欠部６が形成されている。この引き戸１においても、切欠部６の湾曲面６１には、引き戸本体２の幅方向中央付近まで延びるスリット部Ｓが形成されており、スリット部Ｓ内には、操作部８によって水平方向にスライド自在な遮蔽板７が収納されている。この引き戸１においても、操作部８の操作によって切欠部６内に遮蔽板７が挿入され、遮蔽板７の先端部７１の湾曲凹部７１aが第３取手部５に当接することで、切欠部６内の空間を遮蔽することができる。
【００３３】
この引き戸１では、切欠部６が略半円形状に形成されている。このため、第１取手部３（または第２取手部４）を手で把持して引き戸１をスライドさせて開いた後、よりスムーズに第３取手部５に手を移すことができ、第３取手部５を手すりのように掴みながら、安定した状態で室内外に移動することができる。
【００３４】
なお、上記の実施形態では、第３取手部５は略半円弧状であり、切欠部６を通じて第１取手部３および第２取手部４と接続しているが、第３取手部５の形状は、略楕円や略矩形などであってもよい。
【００３５】
また、上記の実施形態では、第３取手部５は、その中央付近が切欠部６内に位置しているが、第３取手部５は、切欠部６の外側（側端部２３の外方）を通じて第１取手部３および第２取手部４と接続する形態であってもよい。この場合、第３取手部５が側端部２３よりも外側に突出するため、引き戸１と対向するドア枠に切り込みを設けて、第３取手部５を収納することができる。
【００３６】
本発明の引き戸１は、水平方向にスライドさせて開閉操作されるものである。引き戸１は、互いに対向する略矩形状の第１表面部２１と第２表面部２２とを備えた略平板状であり、かつ、一方の側端部２３の中央付近において第１表面部２１側と第２表面部２２側とを連通する切欠部６が形成された引き戸本体２を備えている。引き戸１は、引き戸本体２の第１表面部２１から外方に突出し、かつ、引き戸本体２の縦方向に沿って延びる把持部３１を備えた第１取手部３を備えている。引き戸１は、引き戸本体２の第２表面部２２から外方に突出し、かつ、引き戸本体２の縦方向に沿って延びる把持部４１を備えた第２取手部４を備えている。引き戸１は、引き戸本体２から離間して略水平方向に延び、第１取手部３および第２取手部４と接続する第３取手部５を備えている。
【００３７】
この引き戸１では、切欠部６の遮蔽が可能な遮蔽板７を備えていることが好ましい。
【００３８】
この引き戸１では、切欠部６が略半円形状に形成されていることがより好ましい。
【００３９】
この引き戸１では、第３取手部５は、切欠部６を通じて第１取手部３および第２取手部４と接続していることが特に好ましい。
【００４０】
本発明の引き戸は、以上の実施形態に限定されることはない。例えば、第３取手部の断面形状やカーブなどは、引き戸の使い勝手などを考慮して適宜設計することができる。また、切欠部の形状、大きさ、配設位置、遮蔽板やスリット部の形状、操作部によるスライド機構なども適宜設計することができる。
【符号の説明】
【００４１】
１    引き戸
２    引き戸本体
２１  第１表面部
２２  第２表面部
３    第１取手部
３１  把持部
４    第２取手部
４１  把持部
５    第３取手部
６    切欠部
７    遮蔽板
【図１】
0006583784.tif 000002
【図２】
0006583784.tif 000003
【図３】
0006583784.tif 000004
【図４】
0006583784.tif 000005
【図５】
0006583784.tif 000006
【図６】
0006583784.tif 000007